(57)【特許請求の範囲】
【請求項１】
法面(1)の左右横方向に複数のコンクリート縦梁(2)を所定間隔(S)をあけて成形し、その所要個所の縦梁(2)に当該縦梁の平面側から被せる略逆Ｌ字形の左片(4′)と右片(4″）とを向かい合わせると共に、その平面部を上下に重ねて縦梁の横幅方向に広狭調節できるようにし、その重ねた平面部にあけたボルト挿入孔(7)に挿通したボルト(6)で縦梁(2)に連結して逆凹溝形を成す抱持体(4)を成形し、その逆凹溝形の抱持体(4)の側面(40)に横梁受け部(5)を成形して横梁留め金具(3)を構成し、左右に隣り合って対峙する縦梁(2)・(2)間に単一本又は複数本の丸太材を可とする横梁(8)を配置すると共に、前記の横梁留め金具(3)で前記横梁を固定したことを特徴とする横梁留め金具を用いた丸太材使用の法枠工法。
【請求項２】
法面(1)の左右横方向に複数のコンクリート縦梁(2)を所定間隔(S)をあけて成形し、その所要個所の縦梁(2)に当該縦梁の平面側から被せる略逆Ｌ字形の左片(4′)と右片(4″）とを向かい合わせると共に、その平面部を上下に重ねて縦梁の横幅方向に広狭調節できるようし、その重ねた平面部にあけたボルト挿入孔(7)に挿通したボルト(6)で縦梁(2)に連結して逆凹溝形を成す抱持体(4)を成形し、その逆凹溝形の抱持体(4)の側面(40)に横梁受け部(5)を成形して横梁留め金具(3)を構成し、左右に隣り合って対峙する縦梁(2)・(2)間に単一本又は複数本の丸太材を可とする横梁(8)を配置すると共に、前記の横梁留め金具(3)で横梁(8)を固定し、且つ横梁受け部(5)に設けた孔(13)と当該横梁受け部(5)の外側の横梁(8)に鎹(15)を打ち込んで成ること特徴とする横梁留め金具を用いた丸太材使用の法枠工法。
【請求項３】
法面(1)の左右横方向に複数のコンクリート縦梁(2)を所定間隔(S)をあけて成形し、その所要個所の縦梁(2)に当該縦梁の平面側から被せる略逆Ｌ字形の左片(4′)と右片(4″）とを向かい合わせると共に、その平面部を上下に重ねて縦梁の横幅方向に広狭調節できるようにし、その重ねた平面部にあけたボルト挿入孔(7)に挿通したボルト(6)で縦梁(2)に連結して逆凹溝形を成す抱持体(4)を成形し、その逆凹溝形の抱持体(4)の側面(40)に横梁受け部(5)を成形した横梁留め金具(3)であって、左右に隣り合って対峙する縦梁(2)・(2)間に単一本又は複数本の丸太材を可とする横梁(8)を配置すると共に、その横梁受け部(5)を横梁(8)を収容するために断面Ｕ字形(5３)にしたことを特徴とする丸太材使用の法枠工法に用いる横梁留め金具。
【請求項４】
法面(1)の左右横方向に複数のコンクリート縦梁(2)を所定間隔(S)をあけて成形し、その所要個所の縦梁(2)に当該縦梁の平面側から被せる略逆Ｌ字形の左片(4′)と右片(4″）とを向かい合わせると共に、その平面部を上下に重ねて縦梁の横幅方向に広狭調節できるようにし、その重ねた平面部にあけたボルト挿入孔(7)に挿通したボルト(6)で縦梁(2)に連結して逆凹溝形を成す抱持体(4)を成形し、その逆凹溝形の抱持体(4)の側面(40)に横梁受け部(5)を成形した横梁留め金具(3)であって、左右に隣り合って対峙する縦梁(2)・(2)間に単一本又は複数本の丸太材を可とする横梁(8)を配置すると共に、その抱持体(4)と一体を成す溝形ガイド(42)の内面(42′)に小突起(12)を成形し、その横梁受け部(5)の直線形下半部(51)を溝形ガイド(42)に差し込むと共に、当該横梁側の小突起(11)と溝形ガイド側の小突起(12)を噛合させながら上下方向にスライドできるように掛止したことを特徴とする丸太材使用の法枠工法に用いる横梁留め金具。
【発明の詳細な説明】
【０００１】
【発明が属する技術分野】
本発明は横梁留め金具を用いた丸太使用の法枠工法及びその法枠工法に用いる横梁留め金具に関するものである。
【０００２】
【従来の技術】
従来は、格子状の法枠を成形してその法枠内に生育基盤を吹付け施工していた。その形状は法面の勾配や凹凸に関係なく一般的に縦・横とも略同間隔で施工されている。
【０００３】
上記の施工方法にあっては、縦枠、横枠ともコンクリート材料で成形するため景観的な問題の他、材料、施工等に多くの費用を要して経済的でない。また、枠体部分が緑化されないだけではなく法枠内の上部は横梁が妨げとなり、雨水の恩恵を受けられずに生育基盤が乾燥して生育不良及び滑落が生じていた。
【０００４】
そこで、上記の従来工法の改善寸法として、枠の寸法に応じた厚い生育基盤を造成し、枠内全体で植物が生育できるように、また厚く造成した生育基盤が滑落しないようにプレートや鋼製の仕切板をアンカーで固定し、枠内に仕切棚を設置して全面緑化を図っている。しかしながら、金属製の仕切棚は、分解しにくい上に高価であり、またアンカーの固定に多くの労力を必要とする、という課題があった。
【０００５】
そこで本発明は、従来の課題を解決し、且つ当該発明の目的を達成するために提供するものである。
【０００６】
本発明の第１は、横梁留め金具を用いた丸太材使用の法枠工法において、  法面の左右横方向に複数のコンクリート縦梁を所定間隔をあけて成形し、その所要個所の縦梁に当該縦梁の平面側から被せる略逆Ｌ字形の左片と右片とを向かい合わせると共に、その平面部を上下に重ねて縦梁の横幅方向に広狭調節できるようにし、その重ねた平面部にあけたボルト挿入孔に挿通したボルトで縦梁に連結して逆凹溝形を成す抱持体を成形し、その逆凹溝形の抱持体の側面に横梁受け部を成形して横梁留め金具を構成し、左右に隣り合って対峙する縦梁間に単一本又は複数本の丸太材を可とする横梁を配置すると共に、前記の横梁留め金具で前記横梁を固定したことを特徴とする横梁留め金具を用いた丸太材使用の法枠工法。
【０００７】
本発明の第２は、横梁留め金具を用いた丸太材使用の法枠工法において、法面の左右横方向に複数のコンクリート縦梁を所定間隔をあけて成形し、その所要個所の縦梁に当該縦梁の平面側から被せる略逆Ｌ字形の左片と右片とを向かい合わせると共に、その平面部を上下に重ねて縦梁の横幅方向に広狭調節できるようにし、その重ねた平面部にあけたボルト挿入孔に挿通したボルトで縦梁に連結して逆凹溝形を成す抱持体を成形し、その逆凹溝形の抱持体の側面に横梁受け部を成形して横梁留め金具を構成し、左右に隣り合って対峙する縦梁間に単一本又は複数本の丸太材を可とする横梁を配置すると共に、前記の横梁留め金具で横梁を固定し、且つ横梁受け部に設けた孔と当該横梁受け部の外側の横梁に鎹を打ち込んで成ること特徴とする横梁留め金具を用いた丸太材使用の法枠工法。
【０００８】
本発明の第３は、丸太材使用の法枠工法に用いる横梁留め金具において、法面の左右横方向に複数のコンクリート縦梁を所定間隔をあけて成形し、その所要個所の縦梁に当該縦梁の平面側から被せる略逆Ｌ字形の左片と右片とを向かい合わせると共に、その平面部を上下に重ねて縦梁の横幅方向に広狭調節できるようにし、その重ねた平面部にあけたボルト挿入孔に挿通したボルトで縦梁に連結して逆凹溝形を成す抱持体を成形し、その逆凹溝形の抱持体の側面に横梁受け部を成形した横梁留め金具であって、左右に隣り合って対峙する縦梁間に単一本又は複数本の丸太材を可とする横梁を配置すると共に、その横梁受け部の横梁を収容するために断面Ｕ字形にしたものである。
【０００９】
本発明の第４は、丸太材使用の法枠工法に用いる横梁留め金具において、法面の左右横方向に複数のコンクリート縦梁を所定間隔をあけて成形し、その所要個所の縦梁に当該縦梁の平面側から被せる略逆Ｌ字形の左片と右片とを向かい合わせると共に、その平面部を上下に重ねて縦梁の横幅方向に広狭調節できるようにし、その重ねた平面部にあけたボルト挿入孔に挿通したボルトで縦梁に連結して逆凹溝形を成す抱持体を成形し、その逆凹溝形の抱持体の側面に横梁受け部を成形した横梁留め金具であって、左右に隣り合って対峙する縦梁間に単一本又は複数本の丸太材を可とする横梁を配置すると共に、その抱持体と一体を成す溝形ガイドの内面に小突起を成形し、その横梁受け部の直線形下半部を溝形ガイドに差し込むと共に、当該横梁側の小突起と溝形ガイド側の小突起を噛合させながら上下方向にスライドできるように掛止したものである。
【００１０】
【実施例】
本発明の実施例を説明する。１は法面、２は法面の左右方向に所定の間隔Ｓをあけて打設した複数条のコンクリート製縦梁、３は横梁留め金具であり、縦梁の所定個所に適当な間隔Ｓ′（例えば０．５〜３．０m以内）の間Ｓ′で平面側から被せる抱持体４と、当該抱持体の側面に成形した横梁受け部５とから成っている。また、その抱持体４は、図３、図６、図９、図１２に示すように左右に２分割して断面が略逆L字形を成す左片４’と右片4”とを向かい合わせて逆溝形を成形し、縦梁２の横幅方向にスライドさせて広狭調節できるようにコンクリート用ボルト6を抱持体4（左片4’・右片4”）における平面の小孔７に通して縦梁２に連結する形状になっている。
【００１１】
前記の横梁留め金具３の横梁受け部５の形状は、図１〜３に示す第１例にあっては、高さ方向の下半部を直線形５1にし、且つ上半部を凹弧形５2に一体成形し、抱持体4の側面４０に成形してあるブラケット４1にボルト６で止めてある。７は抱持体４の左片４’と右片４”の平面部にあけたボルト挿入孔、８は間伐丸太材を単一本または複数本用いた横梁、９は縦梁２と横梁８による方形枠内の法面１に吹付け施工した緑化基盤層、１０は横梁留め金具３の横梁受け部５に支受させた横梁を押さえるように設置した客土袋である。
【００１２】
また、横梁受け部５の形状の第２例にあっては、図４〜６に示す。すなわち、高さ方向の直線形下半部５1と、凹弧形上半部５2を一体成形し、その直線形下半部を抱持体４の側面４０に成形してある溝形ガイド４2に差し込んで上下方向にスライドできるようにボルト６’で止めてある。
【００１３】
次に、横梁受け部５の形状の第３例にあっては、図７〜９に示す。すなわち、高さ方向の直線形下半部５1の内面に小突起１１を列設し、当該直線形下半部に凹弧形上半部５2を一体成形し、その下半部を抱持体4の側面４０に一体に成形してある溝形ガイド４2に差し込むと共に、前記小突起１１に対峙する内面４2′に設けてある鋸歯状小突起１２を前記小突起１１に噛合させながら上下方向にスライドできるように掛止してある。
【００１４】
続いて、横梁受け部５の形状の第４例にあっては、図１０〜１２に示す。すなわち、抱持体４の側面の高さ方向に略Ｕ字形５3に成形すると共に適宜個所に小孔１３をあけておき、このＵ字形内部に複数本の細い間伐丸太材から成る横梁８を収容し、鎹１５を用いて前記の小孔１３と、横梁受け部５の外側の間伐丸太材とに打ち込んである。
【００１５】
そして、横梁受け部５の形状の第５例にあっては、図１３〜１５に示す。すなわち、抱持体４の側面の高さ方向に縦長の略Ｕ字形５3に成形すると共に、上半部５4を法肩方向に傾斜するように形成してある。また、横梁受け部５の適宜個所に小孔１３をあけておき、このＵ字形内部に細い間伐丸太材から成る横梁８を複数本収容し、鎹１５を用いて前記の小孔１３からと、横梁受け部５の外側の間伐丸太材とに打ち込んである。
【００１６】
【具体的な施工例】
本発明の施工順序は次のとおりである。法面１の左右横方向に複数のコンクリート縦梁２を所定間隔Ｓをあけて縦列に成形する。その縦梁の横幅は１５．０ｃｍ〜５０．０ｃｍ程度に設定する。また、隣り合う縦梁の間隔Ｓを２．０ｍ〜５．０ｍ程度に設定する。
【００１７】
次に、各縦梁２の法面傾斜方向の所要個所に０．５〜３．０ｍ以内の間隔Ｓ′で平面側から逆凹溝形の抱持体４を被せる。この場合、抱持体４を形成する左右に２分割した左片４′と右片４″を縦梁２の横幅方向にスライドさせて広狭調節した後、ボルト６で縦梁２に連結する。
【００１８】
被せた各抱持体４の側面に成形した横梁受け部５に左右に隣り合って対峙する縦梁２・２間に所定の長さに切断した単一本又は複数本の間伐丸太材を配置して横梁８とすると共に、前記の横梁受け部で当該横梁を固定する。
【００１９】
縦梁２に平面側から被せる抱持体４の側面に単一又は複数の横梁受け部５を成形し、その横梁受け部が横梁８の対向内側から挟持する。
【００２０】
縦梁２に平面側から被せる抱持体４の側面に単一又は複数の横梁受け部５を成形し、その横梁受け部を溝形ガイド４2に成形すると共に、横梁受け部の直線形５1に成形した小突起１１と、溝形ガイド４2の内面に配置した小突起１２を噛合させ、横梁８の外形に適合するように高さ方向にスライドさせて調節する。
【００２１】
そして、縦梁２と横梁８で形成された枠内の法面１に緑化基盤材を吹付けて植生基盤９を造成する。
【００２２】
【発明の効果】
本発明は上記の構成であるから、次の効果がある。すなわち、安定を目的として、コンクリート材料で法枠の縦梁を成形して法面の小崩壊を防止することができる。次に、法枠の所定個所に横梁丸太留め金具をアンカーで取付けその留め金具で丸太材を固定して緑化基礎工（土留め棚）とすることができる。
【００２３】
横枠を成形する間伐丸太材等は自然景観に調和すると共に、生育基盤の安定保持が図れる。また、この横梁はコンクリートに比較して材料費や工程の短縮が図れて経済的である。そして、急勾配においても、横梁を成形する間伐丸太材の設置間隔を狭くすることによって生育基盤の流失を抑え、従来使用していたラス金網が省略できる。さらに、横梁用丸太材等は、植物が成長する過程では緑化基礎工としての目的を達し、植物が成長した後には腐食して植物の養分となりながら自然に戻ると共に、地山や植物等と馴染みやすい。
【００２４】
横梁留め金具は、縦梁の任意な個所に設置できると共に、横方向にスライドでき、法枠の成形時に生じる横幅寸法のばらつきに合わせて調節することができる。
【００２５】
また、横梁留め金具は、法面の凹凸及び丸太寸法に適用できるように加工がされているので、生育基盤の保持が図れる。したがって、横梁用の間伐丸太材を止める杭、アンカー等は不要となる。そして、横梁留め金具は、当該横梁留め金具の横梁受け部の部材を交換するだけで植栽棚になり、当該植栽に必要な客土袋を保持できる。
【図面の簡単な説明】
【図１】本発明に係る横梁留め金具を用いた丸太材使用の法枠工の第１実施例を示す平面図である。
【図２】図２(a)は図１の２―２線に沿う拡大断面図である。図２(b)はその横梁留め金具部位の拡大図である。
【図３】図１の３―３線に沿う拡大断面図である。
【図４】横梁留め金具を用いた丸太材使用の法枠工の第２実施例を示す平面図である。
【図５】図５(a)は図４の５―５線に沿う拡大断面図である。図５(b)はその横梁留め金具部位の拡大図である。
【図６】図４の６―６線に沿う拡大断面図である。
【図７】横梁留め金具を用いた丸太材使用の法枠工の第３実施例を示す平面図である。
【図８】図８(a)は図７の８―８線に沿う拡大断面図である。図８(b)はその横梁留め金具部位の拡大図である。図８(c)はその横梁留め金具の一部の拡大図である。
【図９】図7の９―９線に沿う拡大断面図である。
【図１０】横梁留め金具を用いた丸太使用の法枠工の第４実施例を示す平面図である。
【図１１】図１１(a)は図１０の１１―１１線に沿う拡大断面図である。図１１(b)はその横梁留め金具部位の拡大図である。
【図１２】図１０の１２―１２線に沿う拡大断面図である。
【図１３】横梁留め金具を用いた丸太材使用の法枠工の第５実施例を示す平面図である。
【図１４】図１４(a)は図１３の１４―１４線に沿う拡大断面図である。図１４(b)はその横梁留め金具部位の拡大図である。
【図１５】図１３の１５―１５線に沿う拡大断面図である。
【符号の説明】
１  法面
２  縦梁
３  横梁留め金具
４  抱持体
５  横梁受け部
６・６′  ボルト
７  ボルト孔
８  横梁
９  植生基盤層
１０  客土袋
１１  小突起
１２  小突起
１３  小孔
１５  鎹
【図１】
0004289818.tif 000002
【図２】
0004289818.tif 000003
【図４】
0004289818.tif 000004
【図５】
0004289818.tif 000005
【図６】
0004289818.tif 000006
【図７】
0004289818.tif 000007
【図１０】
0004289818.tif 000008
【図１１】
0004289818.tif 000009
【図１２】
0004289818.tif 000010
【図１３】
0004289818.tif 000011
【図１４】
0004289818.tif 000012
【図１５】
0004289818.tif 000013
【図３】
0004289818.tif 000014
【図８】
0004289818.tif 000015
【図９】
0004289818.tif 000016